【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
仮想テープライブラリシステムであって、
第一の記憶装置および第一の制御装置を含む第一のコンピュータと、
第二の記憶装置および第二の制御装置を含む第二のコンピュータと、
前記第一のコンピュータおよび前記第二のコンピュータと接続され、複数の磁気ディスクを含むディスク装置と、
を備え、
前記第一の制御装置および前記第二の制御装置の各々は、仮想テープへの書き込みを指示する書き込みコマンドを受領し、前記書き込みコマンドに基づいて、受領したライトデータを前記仮想テープを構成する前記複数の磁気ディスクのうちの少なくとも一の磁気ディスクに格納する書き込み動作を実行し、
前記第一の記憶装置が、前記第一の制御装置に制御される前記仮想テープ上のテープアドレスと、前記仮想テープを構成する前記複数の磁気ディスク上のディスクアドレスと、前記テープアドレスにより特定される対応する格納領域がＲｅａｄ  Ｏｎｌｙ領域あるいは書き込み可能領域のいずれとして設定されているかを示すアクセス属性情報と、をしるす関連情報を記録し、
前記第一の制御装置が、前記仮想テープへの書き込みを指示する前記書き込みコマンドを受領すると、前記第一の制御装置は、前記関連情報に基づいて、前記書き込みコマンドの対象格納領域は前記Ｒｅａｄ  Ｏｎｌｙ領域あるいは前記書き込み可能領域のいずれとして設定されているかを判定し、
前記対象格納領域が前記書き込み可能領域として設定されている場合に、前記第一の制御装置が、前記ディスク装置に、前記複数の磁気ディスク内の前記対象格納領域への前記ライトデータの書き込みを指示し、
前記ディスク装置が、前記関連情報のコピーを前記複数の磁気ディスクに格納し、
前記第一のコンピュータに故障が発生した場合に、前記第二のコンピュータが、前記ディスク装置内の前記関連情報を読み出して、前記第一のコンピュータから前記仮想テープへの書き込み動作を引き継ぐ、
ことを特徴とする仮想テープライブラリシステム。
【請求項２】
前記ディスク装置が前記ライトデータを前記複数の磁気ディスク内の前記対象格納領域に書き込んだ後、前記第一の制御装置が、ｗｒｉｔｅ  ｏｎｃｅ  ｒｅａｄ  ｍａｎｙ（ＷＯＲＭ）指示を発行して、前記対象格納領域を前記Ｒｅａｄ  Ｏｎｌｙ領域として設定することを特徴とする請求項１に記載の仮想テープライブラリシステム。
【請求項３】
前記第一の制御装置が、前記対象格納領域を前記Ｒｅａｄ  Ｏｎｌｙ領域として設定するために前記ＷＯＲＭ指示を発行した後、前記第一の制御装置が、前記Ｒｅａｄ  Ｏｎｌｙ領域として設定された前記対象格納領域について、前記関連情報を更新することを特徴とする請求項２に記載の仮想テープライブラリシステム。
【請求項４】
前記関連情報が、前記対象格納領域にかかわる保持期間を含み、前記保持期間に示された期間が経過している場合に、前記対象格納領域が前記Ｒｅａｄ  Ｏｎｌｙ領域として設定されている場合でも、前記第一の制御装置が、前記ディスク装置に、前記ライトデータの前記対象格納領域への書き込みを指示することを特徴とする請求項１に記載の仮想テープライブラリシステム。
【請求項５】
前記書き込みコマンドの前記対処格納領域が前記Ｒｅａｄ  Ｏｎｌｙ領域として設定されていて、かつ前記保持期間で示された前記期間が経過していない場合に、前記第一の制御装置が前記書き込みコマンドの発行元にエラーメッセージを送信することを特徴とする請求項４に記載の仮想テープライブラリシステム。
【請求項６】
前記書き込みコマンドの前記対象格納領域が前記Ｒｅａｄ  Ｏｎｌｙ領域として設定されている場合に、前記第一の制御装置が前記書き込みコマンドの発行元にエラーメッセージを送信することを特徴とする請求項１に記載の仮想テープライブラリシステム。
【請求項７】
管理用端末からの変更要求に応じて、前記第一の制御装置が前記関連情報を変更することを特徴とする請求項１に記載の仮想テープライブラリシステム。
【請求項８】
仮想テープライブラリ装置において利用される仮想テープ書き込み方法であって、
前記仮想テープライブラリ装置が、
記憶装置と制御装置とを有するコンピュータと、
前記コンピュータと接続され複数の磁気ディスクを含むディスク装置と、
を備え、
前記記憶装置が、前記制御装置に制御される前記仮想テープ上のテープアドレスと、前記仮想テープを構成する前記複数の磁気ディスク上のディスクアドレスと、前記テープアドレスにより特定される対応する格納領域がＲｅａｄ  Ｏｎｌｙ領域あるいは書き込み可能領域のいずれとして設定されているかを示すアクセス属性情報と、をしるす関連情報を有するものであり、
前記仮想テープ書き込み方法は、
仮想テープに書き込む書き込みコマンドを受領することと、
前記関連情報に基づき、前記制御装置によって、前記書き込みコマンドの対象格納領域が前記Ｒｅａｄ  Ｏｎｌｙ領域あるいは前記書き込み可能領域のいずれに設定されているかを判定することと、
前記対象格納領域が前記書き込み可能領域として設定されている場合は、前記制御装置によって、前記ライトデータの前記複数の磁気ディスク内の前記対象格納領域への書き込みを、前記ディスク装置に指示することと、
前記ディスク装置により前記複数の磁気ディスク内の前記関連情報を格納することと、
前記コンピュータに故障が生じた場合に、前記ディスク装置と接続された別のコンピュータが、前記関連情報を読み出し、前記仮想テープへの書き込み動作を前記故障が生じたコンピュータから引き継ぐことを可能にさせること、
とを含むことを特徴とする仮想テープ書き込み方法。
【請求項９】
前記ディスク装置が前記ライトデータを前記複数の磁気ディスク内の対象格納領域に書き込んだ後に、前記制御装置により、前記対象格納領域をＲｅａｄ  Ｏｎｌｙ領域として設定するためのｗｒｉｔｅ  ｏｎｃｅ  ｒｅａｄ  ｍａｎｙ（WORM）指示を発行することを含むことを特徴とする請求項８に記載の仮想テープ書き込み方法。
【請求項１０】
前記対象格納領域を前記Ｒｅａｄ  Ｏｎｌｙ領域として設定するための前記WORM指示を発行した後に、前記Ｒｅａｄ  Ｏｎｌｙ領域として設定された前記対象格納領域について、前記制御装置によって、前記関連情報を更新することを含むことを特徴とする請求項９に記載の仮想テープ書き込み方法。
【請求項１１】
前記関連情報が前記対象格納領域にかかわる保持期間を含み、前記保持期間によって示された期間が経過している場合に、前記対象格納領域が前記Ｒｅａｄ  Ｏｎｌｙ領域として設定されていても、前記ディスク装置に、前記ライトデータを前記対象格納領域に書き込むように指示することを含むことを特徴とする請求項８に記載の仮想テープ書き込み方法。
【請求項１２】
前記書き込みコマンドの前記対象格納領域が前記Ｒｅａｄ  Ｏｎｌｙ領域として設定されていて、かつ前記保持期間に示された前記期間が経過していない場合に、前記制御装置によって、前記書き込みコマンドの発行元にエラーメッセージを送信することを含むことを特徴とする請求項１１に記載の仮想テープ書き込み方法。
【請求項１３】
前記書き込みコマンドの前記対象格納領域が前記Ｒｅａｄ  Ｏｎｌｙ領域として設定されている場合に、前記制御装置によって、前記書き込みコマンドの発行元にエラーメッセージを送信することを含むことを特徴とする請求項８に記載の仮想テープ書き込み方法。
【請求項１４】
管理用端末からの変更要求に応じて、前記制御装置によって、前記関連情報を変更することを含むことを特徴とする請求項８に記載の仮想テープ書き込み方法。